(57)【特許請求の範囲】
【請求項１】
センターパネルの外周縁に缶内側に窪んだ環状溝が形成され、該環状溝の外周縁から外方に傾斜して立ち上がるチャックウォールが延設され、さらに該チャックウォールの外周縁からシーミングパネルが延設されてなる缶蓋において、
前記チャックウォールは、缶軸方向の中間部で屈曲し、前記環状溝側の第１チャックウォール部の缶軸方向に対する傾斜角度（θ１）が４０〜６０°に形成され、前記シーミングパネル側の第２チャックウォール部の缶軸方向に対する傾斜角度（θ２）が２０〜３９°に形成され、
前記シーミングパネルは、チャックウォール側から外方に向かって、外面曲率半径（Ｒ１）のシーミングパネルラジアス部、外面曲率半径（Ｒ２）の第１シーミングウォール部、外面曲率半径（Ｒ３）の第２シーミングウォール部、外面曲率半径（Ｒ４）のカバーフック部が順次連接され、かつ前記カバーフック部の先端が缶蓋の中心方向を向いてなり、各部の曲率半径がＲ２＞Ｒ１＞Ｒ４  かつ  Ｒ２≧Ｒ３＞Ｒ４の関係を満たすとともに、缶蓋の最大外周からカバーフック部の先端までの缶径方向の距離（Ｘ）が０．２〜３．０ｍｍに形成され、
前記シーミングパネルラジアス部の外面曲率半径（Ｒ１）が１．３〜２．３ｍｍであり、前記第１シーミングウォール部の外面曲率半径（Ｒ２）が２．０〜７．０ｍｍであり、前記第２シーミングウォール部の外面曲率半径（Ｒ３）が１．０〜２．３ｍｍであり、前記カバーフック部の外面曲率半径（Ｒ４）が０．３〜１．３ｍｍであり、
前記シーミングパネルの最上端からカバーフック部の下端までの缶軸方向の距離（ｈ）が２．２〜２．５ｍｍであり、かつ前記シーミングパネルの最上端からカバーフック部の最大外周までの缶径方向の距離（Ｌ）が１．９〜２．３ｍｍであることを特徴とする缶蓋。
【発明の詳細な説明】
【技術分野】
【０００１】
この発明は、缶胴の開口端部に二重巻締めにして取り付けられる缶蓋に関する。
【背景技術】
【０００２】
図６に示すように、缶胴(50)の開口端部に対する缶蓋(55)の二重巻締めは、缶蓋(55)のチャックウォール(56)の外周縁に延設されたシーミングパネル(57)を缶胴(50)のフランジ(51)の外方から抱き合わせるように巻き込んで外方から圧着し、缶胴(50)と缶蓋(55)とを密着させるものである。このような二重巻締めにおいて、コストダウンを図るために、シーミングパネル(57)の長さを小さくして巻締めによって形成される巻締め部(58)の巻締め幅（Ｗ）を小さくしたミニシーム（Ｗ＝約２．４ｍｍ）が海外では多く採用されている。なお、図６において、左側の図は巻締め途中の状態を示し、右側の図は巻締め完了時の状態を示している。
【０００３】
しかしながら、巻締め幅（Ｗ）を小さくするだけでは缶蓋材料の減少に限界があるため、チャックウォールの形状を改善した缶蓋でミニシームを使用したものが提案されている（特許文献１、２参照）。
【０００４】
特許文献１に記載された缶蓋は、従来は１０°程度であったチャックウォールの傾斜角度を２０〜６０°の緩傾斜に形成したものであり、素材を打ち抜いた円板の径を小さくすることができる。また、特許文献２に記載された缶蓋は、チャックウォールを高さ方向の中間部で屈曲させ、上方部の傾斜角度を下方部よりも小さくして急傾斜となるように形成した２段チャックウォールの缶蓋である。この缶蓋は、傾斜角度の大きいチャックウォールを巻締めると上方部を折り曲げて縮径する動きが入り、このときチャックによる缶蓋の保持が不安定になってチャックスリップが起こり巻締め不良が発生し易くなる、という特許文献１の缶蓋の問題点を改良したものである。チャックウォールの上方部が急傾斜に形成されていると、巻締め時の縮径工程を省略できる、あるいは縮径量が小さくなるため、チャックミスを防いで巻締め不良の発生や巻締めしわの発生を低減することができる。
【０００５】
なお、従来のチャックウォールの傾斜角度の小さい缶蓋については、巻締め不良をを改善するために、シーミングパネルの形状を規定したものが提案されている（特許文献３、４参照）。
【０００６】
特許文献３に記載された缶蓋は、シーミングパネルの曲率半径、先端部の角度を規定したものである。特許文献４に記載された缶蓋は、シーミングパネル先端側のカバーフックを２段階の曲率半径Ｒ１、Ｒ２の湾曲部で形成し、かつＲ１、Ｒ２の大小関係を規定したものである。
【特許文献１】特表平１１−５０５７９１号公報
【特許文献２】特開２００２−１７８０７２号公報
【特許文献３】特許２６４２１１０号公報
【特許文献４】特許第３７１４６０号公報
【発明の開示】
【発明が解決しようとする課題】
【０００７】
しかしながら、特許文献２に記載された２段チャックウォールの缶蓋においても、下方部の傾斜角度が大きいために、内圧がかかると巻締め部にてこの作用で缶中心方向への力が大きく働き、巻締め部が開く方向に力が働いて密閉性を低下させるという問題点があった。
【０００８】
なお、文献３、４にはチャックウォールの傾斜角度の小さい缶蓋においてシーミングパネルの形状を規定することが記載されている。傾斜角度の小さいチャックウォールでは、巻締め時に缶軸方向、缶径方向へのチャックウオールの動きが少ないため、シーミングパネル形状はこれらの文献で提案された比較的単純な形でよい。また、これらの形状が採用されるミニシームタイプのシーミングパネルでは、比較的シーム全体が短くできるためにシーミングパネル形状も単純なものでよく、円弧形状は先端部が巻込み易くフランジ(51)に付き当たらなければ足りる。しかし、傾斜角度の大きいチャックウォールの缶蓋では、チャックウォールの巻締め部分に巻締めながらの折り曲げ加工が入るため、巻締めとともにシーミングパネルの缶軸方向、缶径方向への動きが入り込む。このため、文献３、４に記載された単純形状のシーミングパネルを適用してもこのような複雑な動きに十分に追従することができず、チャックミスや巻締め不良が生ずる危険性がある。
【課題を解決するための手段】
【０００９】
本発明の缶蓋は、上述した技術背景に鑑み、チャックウォールの傾斜角度の大きい缶蓋において、巻締め時のチャックミスや巻締め不良を低減し、ひいては巻締め部の密閉性を向上させることを目的とするものである。
【００１０】
即ち、本発明の缶蓋は下記［１］〜［５］に記載の構成を有する。
【００１１】
［１］  センターパネルの外周縁に缶内側に窪んだ環状溝が形成され、該環状溝の外周縁から外方に傾斜して立ち上がるチャックウォールが延設され、さらに該チャックウォールの外周縁からシーミングパネルが延設されてなる缶蓋において、
前記チャックウォールの環状溝側の部分は、缶軸方向に対する傾斜角度が４０〜６０°に形成され、
前記シーミングパネルは、チャックウォール側から外方に向かって、外面曲率半径（Ｒ１）のシーミングパネルラジアス部、外面曲率半径（Ｒ２）の第１シーミングウォール部、外面曲率半径（Ｒ３）の第２シーミングウォール部、外面曲率半径（Ｒ４）のカバーフック部が順次連接され、かつ前記カバーフック部の先端が缶蓋の中心方向を向いてなり、各部の曲率半径がＲ２＞Ｒ１＞Ｒ４  かつ  Ｒ２≧Ｒ３＞Ｒ４の関係を満たすとともに、缶蓋の最大外周からカバーフック部の先端までの缶径方向の距離（Ｘ）が０．２〜３．０ｍｍに形成されていることを特徴とする缶蓋。
【００１２】
［２］  前記チャックウォールは、全体が４０〜６０°の傾斜角度（θ）に形成されている前項１に記載の缶蓋。
【００１３】
［３］  前記チャックウォールは、缶軸方向の中間部で屈曲し、前記環状溝側の第１チャックウォール部の缶軸方向に対する傾斜角度（θ１）が４０〜６０°に形成され、前記シーミングパネル側の第２チャックウォール部の缶軸方向に対する傾斜角度（θ２）が１〜３９°に形成されている前項１に記載の缶蓋。
【００１４】
［４］  前記シーミングパネルラジアス部の外面曲率半径（Ｒ１）が１．３〜２．３ｍｍであり、前記第１シーミングウォール部の外面曲率半径（Ｒ２）が２．０〜７．０ｍｍであり、前記第２シーミングウォール部の外面曲率半径（Ｒ３）が１．０〜２．３ｍｍであり、前記カバーフック部の外面曲率半径（Ｒ４）が０．３〜１．３ｍｍである前項１〜３のいずれかに記載の缶蓋。
【００１５】
［５］  前記シーミングパネルの最上端からカバーフック部の下端までの缶軸方向の距離（ｈ）が２．２〜２．５ｍｍであり、かつ前記シーミングパネルの最上端からカバーフック部の最大外周までの缶径方向の距離（Ｌ）が１．９〜２．３ｍｍである前項１〜４のいずれかに記載の缶蓋。
【発明の効果】
【００１６】
［１］に記載された発明によれば、チャックウォールの少なくとも環状溝側部分を４０〜６０°の傾斜角度に形成することで缶蓋材料のブランク径を小さくして材料の節約を図りつつ、シーミングパネルの形状を規定することでチャックミスや巻締め不良を低減し、ひいては缶蓋の密閉性および耐圧性を向上させることができる。
【００１７】
［２］に記載された発明によれば、チャックウォール全体が４０〜６０°の傾斜角度に形成された缶蓋において上記効果が得られる。
【００１８】
［３］に記載された発明によれば、２段チャックウォールの缶蓋において上記効果が得られる。しかも第２チャックウォール部は第１チャックウォール部よりも傾斜角度が小さいために、巻締め時の缶径方向の動きが小さくなりさらに巻締め不良が発生しにくい。
【００１９】
［４］［５］に記載された各発明によれば、さらに巻締め不良を低減することができる。
【発明を実施するための最良の形態】
【００２０】
〔第１実施形態〕
図１および図２に、本発明にかかる缶蓋の第１実施形態を示す。この缶蓋(1)は、飲料用缶に用いられる缶蓋であり、アルミニウム等の金属板を円形に打ち抜いたブランクをプレス成形したものであって、缶胴の開口端部に取り付けられる前の状態を示している。
【００２１】
缶蓋(1)において、円形のセンターパネル(10)の周縁に缶内側（図面の下方側）に窪んだ環状溝(11)が形成され、この環状溝(11)の外側にチャックウォール(15)および缶胴の開口端部に巻締められるシーミングパネル(20)が延設されている。
【００２２】
前記環状溝(11)は、センターパネル(10)の外周縁から缶内側に延設された内側壁(12)とこの内側壁(12)に対向する外側壁(13)とがそれぞれの下端で円弧状の底壁(14)を介して連接されてなる。
【００２３】
前記チャックウォール(15)は、前記外側壁(13)の上端から円弧状の屈曲部(16)を介して延設され、外方に傾斜して立ち上がっている。前記チャックウォール(15)は、全体が缶軸方向に対する傾斜角度（θ）が４０〜６０°の範囲に形成された１段チャックウォールである。
【００２４】
前記シーミングパネル(20)は、チャックウォール(15)側から外方に向かって、それぞれ円弧状に形成されたシーミングパネルラジアス部(21)、第１シーミングウォール部(22)、第２シーミングウォール部(23)、カバーフック部(24)が順次連接され、これらが外面曲率半径（Ｒ１）（Ｒ２）（Ｒ３）、（Ｒ４）の円弧状に形成されることにより前記カバーフック部(24)の先端が缶蓋(1)の中心方向を向いている。
【００２５】
以下に、図３（Ａ）（Ｂ）（Ｃ）を参照しつつ、前記缶蓋(1)を缶胴(50)の開口端部に取り付ける工程について説明する。
【００２６】
〔ｉ〕１段目の巻締めロール(40)とチャック(41)の間に、缶蓋(1)および缶胴(50)を、缶胴(50)のフランジ(51)がシーミングパネル(20)のシーミングパネルラジアス部(21)および第１シーミングウォール部(22)で覆われるように配置する（図３（Ａ）参照）。
【００２７】
〔ii〕図３（Ａ）に示すように、巻締めロール(40)とチャック(41)を近接させ、巻締めロール(40)の溝(42)内にシーミングパネル(20)を押し込みながら、シーミングパネルラジアス部(21)と第１シーミングウォール部(22)の境界部とその近傍を屈曲させるとともに、第２シーミングウォール部(23)のカバーフック部(24)側の部分およびカバーフック部(24)の第２シーミングウォール部側部分をフランジ(51)にかみ合わせるように屈曲させる。これにより、図３（Ｂ）に示すように、カバーフック部(24)が缶胴(50)に突き当たることなく、缶胴(50)とフランジ(51)の間に送り込まれる。
【００２８】
〔iii〕図３（Ｃ）に示すように、溝の奥壁がほぼ垂直に形成された２段目の巻締めロール(43)とチャック(41)により、巻締め部分をさらに押し付け、強く巻締める。これにより、図４に示すように、シーミングパネルラジアス部(21)のチャックウォール(15)側の部分、第１シーミングウォール(22)の第２シーミングウォール(23)側部分、第２シーミングウォール(23)の第１シーミングウォール(22)側部分、およびカバーフック部(24)の先端部分がほぼ平坦に加工され、巻締め幅が（Ｗ）の巻締め部(25)が形成される。
【００２９】
［第２実施形態］
図５に示す本実施形態の缶蓋(2)は、上述した第１実施形態の缶蓋(1)とはチャックウォールの形状のみが異なり、その他の部分は同一の構成を有する。このため、第１実施形態の缶蓋(1)と同じ符号を付した部分は同一部分を表すものとして説明および図示を省略する。
【００３０】
缶蓋(2)において、チャックウォール(30)は、缶軸方向の中間部で屈曲し、屈曲部(33)を介して前記環状溝(11)側の第１チャックウォール部(31)と前記シーミングパネル(20)側の第２チャックウォール部(32)とで異なる傾斜角度に形成された２段チャックウォールである。前記第１チャックウォール部(31)は缶軸方向に対する傾斜角度（θ１）が４０〜６０°に形成され、第２チャックウォール部(32)は第１チャックウォール部(31)よりも傾斜角度（θ２）が小さく、１〜３９°に形成されている。
【００３１】
また、シーミングパネル(20)は、前記缶蓋(1)と同じく、外面曲率半径（Ｒ１）のシーミングパネルラジアス部(21)、外面曲率半径（Ｒ２）の第１シーミングウォール部(22)、外面曲率半径（Ｒ３）の第２シーミングウォール部(23)、外面曲率半径（Ｒ４）のカバーフック部(24)が順次連接されてなる。また、本実施形態の缶蓋(2)は、缶蓋(1)と同じ方法で缶胴(50)の開口端部に取り付けられる。
【００３２】
２段チャックウォールの缶蓋(2)においては、第２チャックウォール部(32)の傾斜角度（θ２）が第１チャックウォール部(31)の傾斜角度（θ１）よりも小さいため、巻締め時の缶径方向の動きが小さくて済む。このため、チャックウォール全体を４０〜６０°に傾斜させた第１実施形態の缶蓋(1)よりもさらに巻締め時の巻締め不良が発生しにくい。
【００３３】
本発明の缶蓋における各部の形状とその規定理由について詳述する。
【００３４】
缶蓋(1)(2)において、センターパネル(10)の外周縁には、缶蓋強化のために缶内側に窪んだ環状溝(11)が形成されている。前記環状溝(11)の形状は何ら限定されない。また、図示例の環状溝(11)においても、内側壁(12)および外側壁(13)の高さと傾斜角度、底壁(14)の曲率半径、溝幅等も何ら限定されない。但し、耐圧強度を高めるために底壁(14)の内面曲率半径は０．７５ｍｍ以下が好ましい。前記環状溝(11)には巻締め時にチャックの先端が入り込むが、内面曲率半径が小さくなるほど缶蓋のプレス成形時の曲げ加工率が大きくなり延性が低下して巻締め時に脆性破壊しやすくなる。このため、前記内面曲率半径は０．４〜０．６ｍｍに形成することが好ましい。また、内側壁(12)および外側壁(13)は強度向上の観点から缶軸と平行、あるいは缶軸に対して１５°以下の傾斜角度で開いていることが好ましい。
【００３５】
チャックウォール(15)(30)は、少なくとも環状溝(11)側の部分が缶軸方向に対する傾斜角度（θ）（θ１）が４０〜６０°に形成されていることを要する。傾斜角度（θ）（θ１）が６０°以上になると外側壁(13)との接続部である屈曲部(16)の加工率が大きくなって加工脆化が起こり易くなる。屈曲部(16)が加工脆化すると、内圧上昇によるバックリング等が発生したときに亀裂が入り、突出を起こし易くなる。一方、傾斜角度（θ）（θ１）が４０°未満では材料減少によるコストダウン効果が少ない。特に好ましい傾斜角度（θ）（θ１）は４５〜５５°である。
【００３６】
前記チャックウォール(15)(30)は、図１に示すような全体が前記傾斜角度（θ）で傾斜したチャックウォール(15)でも良いし、図５に示すような中間部で傾斜角度が変わる２段チャックウォールで環状溝(11)側の第１チャックウォール部(31)の傾斜角度（θ１）が４０〜６０°に形成されたものであっても良い。２段チャックウォールにおいて、シーミングパネル(20)側の第２チャックウォール部(32)の傾斜角度（θ２）は、巻締め時の缶軸方向および缶径方向への動きが少なくするために、第１チャックウォール部(31)の傾斜角度（θ）よりも小さくすることが好ましく、１〜３９°が好ましい。第２チャックウォール部(32)の特に好ましい傾斜角度（θ２）は２０〜３０°である。
【００３７】
シーミングパネル(20)は、チャックウォール(15)側から外方に向かって、シーミングパネルラジアス部(21)、第１シーミングウォール部(22)、第２シーミングウォール部(23)、カバーフック部(24)の４つの部分に区分され、それぞれの外面曲率半径（Ｒ１）（Ｒ２）（Ｒ３）（Ｒ４）が下記（式１）および（式２）を満たす必要がある。
【００３８】
（式１）：Ｒ２＞Ｒ１＞Ｒ４
（式２）：Ｒ２≧Ｒ３＞Ｒ４
シーミングパネルラジアス部(21)および第１シーミングウォール部(22)は、両者にまたがって缶胴(50)のフランジ(51)が内部に配置される部分であるので、これらの外面曲率半径（Ｒ１）（Ｒ２）はフランジ(51)の曲率に近いものが好ましく、過度に小さいものは好ましくない。また、シーミングパネルラジアス部(21)は最終的に缶胴(50)のフランジ(51)を外側から巻き、第１シーミングウォール部(22)は最終的に巻締め部(25)の平坦な外側面となる部分であるから、第１シーミングウォール部(22)の外面曲率半径（Ｒ２）はシーミングパネルラジアス部(21)の外面曲率半径（Ｒ１）よりも大きな曲率が好ましい。従って、Ｒ２＞Ｒ１とする。
【００３９】
第１シーミングウォール部(22)と第２シーミングウォール部(23)は、最終的に巻締め部(25)の平坦な外側面となる部分であるため、これらを連続した円弧で繋ぎ、外面曲率半径（Ｒ２）（Ｒ３）をＲ２＝Ｒ３とすることができる。しかしその一方、第２シーミングウォール部(23)はフランジ(51)とかみ合わせるために外面曲率半径（Ｒ４）を小さく形成するカバーフック部(24)に繋がるものであるので、第２シーミングウォール部(23)の外面曲率半径（Ｒ３）を第１シーミングウォール部（Ｒ２）よりも小さくすることも好ましい。従って、Ｒ２≧Ｒ３とする。
【００４０】
カバーフック部(24)は、フランジ(51)の先端を巻込むための曲部であり、巻締め部(25)の内部へ巻込むために小さく曲げる必要がある。このため、外側から巻き込むシーミングパネルラジアス部(21)よりも小さい外面曲率半径（Ｒ４）に設定する。従って、Ｒ１＞Ｒ４とする。また、第２シーミングウォール部(23)はフランジ(51)の内部へ巻込まれるカバーフック部(24)に連続する部分であるが、巻込みの開始端でないのでカバーフック部(24)に追従できるだけの小さい曲率が必要であるが、（Ｒ４）ほどに小さく設定する必要はない。従って、Ｒ３＞Ｒ４とする。
【００４１】
以上の条件を合わせると、上記（式１）および（式２）を満たすことが要件となる。
【００４２】
また、シーミングパネル(20)の各部の外面曲率半径を上述した条件を満たすように設定した上で、カバーフック部(24)の先端が缶蓋の中心方向を向くように各部の缶径方向の長さ設定し、かつ缶蓋(1)(2)の最大外周からカバーフック部(24)の先端までの缶径方向の距離（Ｘ）を０．２〜３．０ｍｍに形成する。前記距離（Ｘ）が０．２ｍｍ未満では、巻締め時にフランジ(51)を巻き込むことが困難であり巻締め不良となりやすい。一方、３．０ｍｍを超えると缶胴(50)の周面に当たって傷つけるおそれがある。前記距離（Ｘ）の好ましい範囲は０．６〜１．１ｍｍである。
【００４３】
前記シーミングパネル(20)の各部の外面曲率半径（Ｒ１）（Ｒ２）（Ｒ３）（Ｒ４）は、大小関係を規定した上で、さらにその数値を以下の範囲に設定することが好ましい。
【００４４】
シーミングパネルラジアス部(21)の外面曲率半径（Ｒ１）は１．３〜２．３ｍｍの範囲が好ましい。シーミングパネルラジアス部(21)は、その終端部（第１シーミングウォール側の端部）が缶軸方向で最も高い位置近くにくることで隣接する第１シーミングウォール部(22)が斜め下方を向くようにすることが好ましく、かつフランジ(51)との隙間が最小となることが好ましい。外面曲率半径（Ｒ１）が１．３ｍｍ未満ではフランジ(51)との隙間が大きくなって巻締め時のフランジ巻込み不良となるおそれがあり、２．３ｍｍを超えると、カーリンググルーブ内での巻締めが不完全となるおそれがある。外面曲率半径（Ｒ１）を上記範囲に設定することにより良好な巻締めを確実に行える。外面曲率半径（Ｒ１）の特に好ましい範囲は１．６〜２．０ｍｍである。
【００４５】
第１シーミングウォール部(22)は巻締後の平坦な外側面となるので、その外面曲率半径（Ｒ２）は小さくなりすぎないことが好ましく、２．０〜７．０ｍｍの範囲に設定することが好ましい。２．０ｍｍ未満では、巻締め時に平坦になりにくく、７．０ｍｍを超えると前記シーミングパネルラジアス部(21)に追随する部分が巻きにくくなる。特に好ましい外面曲率半径（Ｒ２）は２．５〜３．５ｍｍである。
【００４６】
第２シーミングウォール部(23)は巻締後に平坦になるが、その終端部（カバーフック部側端部）で外面曲率半径の小さいカバーフック部(24)に滑らかに連接させることが好ましい。このような観点で、第２シーミングウォール部(23)の外面曲率半径（Ｒ３）は１．０〜２．３ｍｍの範囲に設定することが好ましく、特に１．２〜１．７ｍｍの範囲が好ましい。
【００４７】
カバーフック部(24)は、外面曲率半径（Ｒ４）が小さいほど缶胴(50)への突当りがなく先端を送り込むことができ、巻締め後のカバーフックが安定する。但し、小さすぎると巻込み量が足りなくなるとともに、積み上げた時、蓋同士のスタッキング性が悪くなるおそれがある。一方、外面曲率半径（Ｒ４）が大きくなりすぎると、缶胴(50)に突き当たり易くなる。このような観点から、カバーフック部(24)の外面曲率半径（Ｒ４）は、０．３〜１．３ｍｍの範囲に設定することが好ましく、特に０．６〜１．０ｍｍの範囲が好ましい。
【００４８】
さらに、シーミングパネル(20)において、シーミングパネル(20)の最上端からカバーフック部(24)の下端までの缶軸方向の距離（ｈ）が２．２〜２．５ｍｍであり、かつ前記シーミングパネル(20)の最上端からカバーフック部(24)の最大外周までの缶径方向の距離（Ｌ）が１．９〜２．３ｍｍであることが好ましい。前記距離（ｈ）は、外面曲率半径（Ｒ２）（Ｒ３）（Ｒ４）の組合せ、前記距離（Ｘ）およびカバーフック部(24)の角度により支配されるが、距離（ｈ）が２．５ｍｍを超えると巻締め時に巻締めロール(40)に巻込みにくくなり、２．２ｍｍ未満であるとタブがパネルに接触しやすくなり、傷がつく等のスタック性が悪くなる。前記距離（ｈ）の特に好ましい範囲は２．３〜２．４ｍｍである。また、前記距離（Ｌ）は巻締め部の重量と関係するものであり、主に距離（Ｘ）により支配される。そして、距離（Ｘ）が０．２〜３．０ｍｍの範囲に規定される本発明の缶蓋において、前記距離（Ｌ）を１．９〜２．３ｍｍの範囲に設定することにより、高い密閉性を得るために最適な巻締め幅を得ることができる。前記距離（Ｌ）の特に好ましい範囲は２．１〜２．３ｍｍである。これらの結果、巻締め幅（Ｗ）は、２．６〜２．９ｍｍ程度のミディシームに収まることが密封性から好ましい。
【００４９】
以上の次第で、本発明の缶蓋によれば、チャックウォールが４０〜６０°の傾斜角度に形成することで缶蓋材料のブランク径を小さくして材料の節約を図りつつ、シーミングパネルの形状を規定することにより巻締め時のチャックミスや巻締め不良を低減し、ひいては缶蓋の密閉性と耐圧性を向上させることができる。
【００５０】
なお、本発明の缶蓋は真円形に限定されず、楕円形や長円形等の缶蓋も含むものである。また、缶蓋材料としてアルミニウムまたはその合金、スチール等の金属が用いられる。
【実施例】
【００５１】
ＪＩＳ  Ａ５１８２合金からなる厚さ０．２４ｍｍの板材を用いて表１に示す缶蓋を製作した。
【００５２】
実施例１および比較例１の缶蓋は、図１に参照されるチャックウォール(15)の全体が表１に示す傾斜角度（θ）に形成された缶蓋(1）である。実施例２〜４および比較例２、３の缶蓋は、図５に参照される２段チャックウォール(30)を有する缶蓋(2)であり、第１チャックウォール部(31)の傾斜角度（θ１）および第２チャックウォール部(32)の傾斜角度（θ２）が表１に示す角度に形成されている。さらに、各缶蓋(1)(2)のシーミングパネル(20)において、シーミングパネルラジアス部(21)の外面曲率半径（Ｒ１）、第１シーミングウォール部(22)の外面曲率半径（Ｒ２）、第２シーミングウォール部(23)の外面曲率半径（Ｒ３）、カバーフック部(24)の外面曲率半径（Ｒ４）、缶蓋(1)(2)の最大外周からカバーフック部(24)の先端までの缶径方向の距離（Ｘ）、シーミングパネル(20)の最上端からカバーフック部(24)の下端までの缶軸方向の距離（ｈ）、シーミングパネル(20)の最上端からカバーフック部(24)の最大外周までの缶径方向の距離（Ｌ）が表１に数値に形成されている。さらに、シーミングパネル(20)の各部の外面曲率半径（Ｒ１）（Ｒ２）（Ｒ３）（Ｒ４）について、（式１）：Ｒ２＞Ｒ１＞Ｒ４、（式２）：Ｒ２≧Ｒ３＞Ｒ４を満たすものを○、満たさないものを×で示し、距離（Ｘ）について本発明の範囲を逸脱するものに下線を付した。
【００５３】
また、各缶蓋(1)(2)に共通し、缶蓋の最大外周直径は６５ｍｍ、センターパネル(10)の直径は４７ｍｍ、環状溝(11)を構成する底壁(14)の内面曲率半径は０．５ｍｍ、内側壁(12)の傾斜角度は５°、外側壁(13)の傾斜角度は２．７°に形成されている。
【００５４】
上述した各缶蓋は、図３に参照されるように、巻締めロール(40)(43)とチャック(41)を用いて缶胴(50)のフランジ(51)に二重に巻締めた。このとき、各巻締め部(25)の巻締め幅（Ｗ）は表１に数値に設定した。
【００５５】
缶胴(50)に缶蓋(1)(2)を取り付けた缶体について、下記の方法で密閉性および耐圧性を試験し、評価した。評価結果を表１に併せて示す。
〔密閉性〕
３５０ｍｌのビール用缶にて二酸化炭素と水をガス圧２４５ｋＰａ（２．５ｋｇｆ／ｃｍ2）に充填して密閉した缶体を製作し、８０℃の熱湯に３０分間浸漬し、缶蓋が膨れて外れたものを×、外れなかったものを○とした。
〔耐圧性〕
缶内に内圧を付加し、５３９ｋＰａ以下で缶蓋の屈曲部(16)につの状突出（バックリング）が生じたものを×、５３９ｋＰａでつの状突出を生じなかったものを○とした。
【００５６】
【表１】
0005647382.tif 000002
【００５７】
表１の結果より、シーミングパネルの各部の形状を本発明の範囲に設定した各実施例の缶蓋は優れた密閉性および耐圧性を有するものであることを確認した。
【産業上の利用可能性】
【００５８】
本発明の缶蓋は、巻締め部において優れた密閉性および耐圧性を得られるものであるから、飲料等の液体用容器として広く使用することができる。
【図面の簡単な説明】
【００５９】
【図１】本発明にかかる缶蓋の第１実施形態を示す断面図および部分拡大断面図である。
【図２】シーミングパネルの拡大断面図である。
【図３】図１の缶蓋の巻締め工程を示す断面図である。
【図４】巻締め部の拡大断面図である。
【図５】本発明にかかる缶蓋の第２実施形態を示す断面図および部分拡大断面図である。
【図６】従来の缶蓋と巻締め工程を示す断面図である。
【符号の説明】
【００６０】
１、２…缶蓋
10…センターパネル
11…環状溝
15、30…チャックウォール
31…第１チャックウォール部
32…第２チャックウォール部
20…シーミングパネル
21…シーミングパネルラジアス部
22…第１シーミングウォール部
23…第２シーミングウォール部
24…カバーフック部
Ｒ１…シーミングパネルラジアス部の外面曲率半径
Ｒ２…第１シーミングウォール部の外面曲率半径
Ｒ３…第２シーミングウォールの外面曲率半径
Ｒ４…カバーフック部の外面曲率半径
θ…チャックウォールの傾斜角度
θ１…第１チャックウォール部の傾斜角度
θ２…第２チャックウォール部の傾斜角度
Ｘ…缶蓋の最大外周からカバーフック部の先端までの缶径方向の距離
ｈ…シーミングパネルの最上端からカバーフック部の下端までの缶軸方向の距離
Ｌ…シーミングパネルの最上端からカバーフック部の最大外周までの缶径方向の距離
【図１】
0005647382.tif 000003
【図２】
0005647382.tif 000004
【図３】
0005647382.tif 000005
【図４】
0005647382.tif 000006
【図５】
0005647382.tif 000007
【図６】
0005647382.tif 000008